(57)【要約】【課題】パッケージやマウントの形状にばらつきがある場合でも、パッケージ上でのマウントの位置を所定の位置に調整できてパッケージとマウントとを固着できるカメラモジュールを得る。【解決手段】このカメラモジュール１は、レンズ３が係止されたマウント１３と、撮像素子７が配設されたパッケージ１１とを固着し、当該レンズ３の中心部と当該撮像素子７の中心部とを一致するようにしたカメラモジュールであって、マウント１３とパッケージ１１とを固着する面１３Ｓ，１１Ｓが、互いに隔離される２つの接着エリア１３Ｓａ，１３Ｓｂ，１１Ｓａ，１１Ｓｂから構成される。【選択図】      図１
2004297282.tif 000002
【特許請求の範囲】
【請求項１】
撮像素子が配設されたパッケージと、レンズが配設されたバレルと、該バレルを保持した状態で接着剤により前記パッケージに固着されるマウントとを備えたカメラモジュールにおいて、
前記パッケージ上の前記マウントとの固着面は、前記マウント上の前記パッケージとの固着面に対して該面方向に摺動可能な面に形成され、
前記接着剤として仮固着用接着剤及び本固着用接着剤が用いられ、
前記パッケージの前記固着面上に、前記仮固着用接着剤及び前記本固着用接着剤のうちの一方が塗布される第１の接着エリアと、前記仮固着用接着剤及び前記本固着用接着剤のうちの他方が塗布される第２の接着エリアとが設けられたことを特徴とするカメラモジュール。
【請求項２】
前記パッケージの前記固着面上又は／及び前記マウントの前記固着面上に溝部が形成され、前記パッケージの前記第１の接着エリア及び前記第２の接着エリアは互いに、前記パッケージの前記溝部又は／及び前記マウントの前記溝部により隔離されることを特徴とする請求項１に記載のカメラモジュール。
【請求項３】
前記パッケージの前記固着面上又は前記マウントの前記固着面上に壁部が設けられ、前記パッケージの前記第１の接着エリア及び前記第２の接着エリアは互いに、前記パッケージの前記壁部又は前記マウントの前記壁部により隔離されることを特徴とする請求項１に記載のカメラモジュール。
【請求項４】
前記パッケージの前記固着面は、段違いの平面部により構成され、前記パッケージの前記第１の接着エリア及び前記第２の接着エリアは、それぞれ前記パッケージの異なる前記平面部上に設けられることにより互いに隔離されることを特徴とする請求項１に記載のカメラモジュール。
【請求項５】
前記パッケージの前記固着面を構成する前記段違いの平面部は、該段違いの平面部に対応して前記マウントの前記固着面に構成された段違いの平面部と遊嵌することを特徴とする請求項４に記載のカメラモジュール。
【請求項６】
前記仮固着用接着剤は、光硬化型接着剤であり、前記本固着用接着剤は、揮発硬化型接着剤又は湿気硬化型接着剤であることを特徴とする請求項１〜請求項５の何れかに記載のカメラモジュール。
【請求項７】
請求項１〜請求項６の何れかに記載のカメラモジュールの組立方法であって、
前記本固着用接着剤及び前記仮固着用接着剤を介して前記パッケージ上に前記マウントを配置し、前記本固着用接着剤及び前記仮固着用接着剤の硬化前に、前記パッケージ上で前記マウントを摺動させて前記パッケージ上での前記マウントの位置を所定の位置に位置決めし、該位置決め状態で前記仮固着用接着剤を硬化させて前記パッケージと前記マウントを仮固着し、該仮固着状態で前記本固着用接着剤を硬化させて前記パッケージと前記マウントを本固着することを特徴とするカメラモジュールの組立方法。
【発明の詳細な説明】
【０００１】
【発明の属する技術分野】
本発明は、デジタルカメラ、携帯電話機及びノート型パソコン等に搭載される小型のカメラモジュール及び該カメラモジュールの組立方法に関する。
【０００２】
【従来の技術】
従来のカメラモジュールでは、撮像素子が配設されたパッケージと、レンズを内包したバレルを保持するマウントとを固着する場合、パッケージに形成された穴部とマウントに形成された突起部との嵌合により、パッケージ上でのマウントの位置を一義的に位置決めして、この位置決め状態でパッケージとマウントとを接着剤により固着する構成がとられている（例えば、特許文献１参照）。
【０００３】
【特許文献１】
特開２００２−３７４４３６号公報（第３−４頁、第２図）
【０００４】
【発明が解決しようとする課題】
良好な撮像画像を取得するためには、パッケージ上でのマウントの位置を、レンズの中心軸と撮像素子の中心軸とが一致する位置に位置決めして、パッケージとマウントとを固着する必要がある。
【０００５】
しかしながら、従来のカメラモジュールでは、パッケージ上でのマウントの位置が、パッケージの穴部の形成位置とマウントの突起部の形成位置により一義的に位置決めされるため、パッケージやマウントの形状のばらつきによりパッケージの穴部の形成位置やマウントの突起部の形成位置がずれて、パッケージ上でのマウントの位置がレンズの中心軸と撮像素子の中心軸とが一致する位置からずれた場合、そのずれを修正できず、良好な撮像画像を取得できないという問題があった。
【０００６】
同様に、マウントに内包されたレンズの内包位置のばらつきにより、レンズの中心軸と撮像素子の中心軸とがずれた場合も、そのずれを修正できず、良好な撮像画像を取得できないという問題もあった。
【０００７】
この発明は、上述のような課題を解決するためになされたもので、第１の目的は、パッケージやマウントの形状のばらつきや、マウントに内包されたレンズの内包位置のばらつきがある場合でも、パッケージ上でのマウントの位置をレンズの中心軸と撮像素子の中心軸とが一致する位置に調整できてパッケージとマウントとを固着できるカメラモジュール及び該カメラモジュールの組立方法を得るものである。
【０００８】
第２の目的は、パッケージ上でのマウントの位置を所定の位置に正確に（ずれ無く）位置決めしてパッケージとマウントとを固着できるカメラモジュール及び該カメラモジュールの組立方法を得るものである。
【０００９】
【課題を解決するための手段】
上記課題を解決するためには、請求項１に記載の発明は、撮像素子が配設されたパッケージと、レンズが配設されたバレルと、該バレルを保持した状態で接着剤により前記パッケージに固着されるマウントとを備えたカメラモジュールにおいて、前記パッケージ上の前記マウントとの固着面は、前記マウント上の前記パッケージとの固着面に対して該面方向に摺動可能な面に形成され、前記接着剤として仮固着用接着剤及び本固着用接着剤が用いられ、前記パッケージの前記固着面上に、前記仮固着用接着剤及び前記本固着用接着剤のうちの一方が塗布される第１の接着エリアと、前記仮固着用接着剤及び前記本固着用接着剤のうちの他方が塗布される第２の接着エリアとが互いに隔離されて設けられるものである。
【００１０】
【発明の実施の形態】
＜実施の形態１＞
本実施の形態におけるカメラモジュール１は、図１の様に、レンズ３が配設されたバレル５と、撮像素子７が配設されたパッケージ１１と、バレル５を保持した状態で接着剤９によりパッケージ１１に固着されるマウント１３とを備える。
【００１１】
接着剤９としては、本固着用接着剤９ａ及び仮固着用接着剤９ｂが用いられる。本固着用接着剤９ａとしては、例えば、接着力が比較的大きく、溶剤が揮発することで硬化する揮発硬化型接着剤、又は硬化するのに比較的時間の掛かる湿気硬化型接着剤が用いられる。仮固着用接着剤９ｂとしては、例えば、接着力が比較的小さく、光（例えば紫外線）が照射されることで短時間で硬化する光硬化型（例えば紫外線硬化型）接着剤が用いられる。
【００１２】
バレル５は、円筒部５ａと該円筒部５ａの上端筒口側に形成された上面部５ｂとを有し、円筒部５ａの下端筒口を開放した有底円筒状に形成される。上面部５ｂの中央には、絞り穴５ｃが形成される。円筒部５ａの筒内部には、１つ以上（ここでは２つ）のレンズ３が内包される。尚、円筒部５ａの筒内部には、レンズ３と共に絞りとなるドーナツ状の薄い遮光性のシートが内包される場合もある。円筒部５ａの外周側面には、マウント１３の雌ねじ部（図示省略）と螺合する雄ネジ部（図示省略）が形成される。
【００１３】
マウント１３は、台部１３ａと該台部１３ａの上面中央に立設された円筒部１３ｂとを有して形成される。円筒部１３ｂの内周側面には、バレル５の前記雄ねじ部と螺合する雌ねじ部（図示省略）が形成される。即ち、マウント１３の前記雌ねじ部にバレル５の前記雄ねじ部が螺合されることで、マウント１３によりバレル５が保持される。尚、バレル５とマウント１３の螺合量が調整されることで、バレル５のマウント１３に対する上下位置（即ちレンズ３の焦点位置）が調整される。
【００１４】
マウント１３の台部１３ａは、例えば平面視矩形の板状に形成される。台部１３ａの上面の中央には、バレル５の下端筒口と対向する部分に光路用開口部１３ｃが形成される。台部１３ａの下面の中央には、パッケージ１１の収納凹部１１ａと対向する部分に光学フィルタ等が収納可能な収納凹部１３ｄが形成される。台部１３ａの下面における収納凹部１３ｄの外周側の環状領域１３Ｓは、平面に形成されており、パッケージ１１が固着される固着面として機能する。
【００１５】
パッケージ１１は、例えば平面視矩形の板状に形成される。パッケージ１１の上面の中央には、例えば平面視矩形の収納凹部１１ａが形成されており、該収納凹部１１ａの底面上に撮像素子７が収納固定される。
【００１６】
パッケージ１１の上面における収納凹部１１ａの外周側の環状領域１１Ｓは、マウント１３が固着される固着面として機能する。パッケージ１１の固着面１１Ｓは平面に形成される。パッケージ１１の固着面１１Ｓには、本固着用接着剤９ａ及び仮固着用接着剤９ｂのうちの一方が塗布される第１の接着エリア１１Ｓａと、本固着用接着剤９ａ及び仮固着用接着剤９ｂのうちの他方が塗布される第２の接着エリア１１Ｓｂとが互いに隔離されて設けられる。第１（第２）の接着エリア１１Ｓａ（１１Ｓｂ）は、パッケージ１１の固着面１１Ｓの内周側周縁側（外周側周縁側）に渡って環状に設けられる。又、パッケージ１１の固着面１１Ｓには、第１の接着エリア１１Ｓａと第２の接着エリア１１Ｓｂの境界に沿って凹状溝部１１ｂが形成される。該凹状溝部１１ｂにより第１の接着エリア１１Ｓａと第２の接着エリア１１Ｓｂは互いに隔離される。
【００１７】
本発明では、パッケージ１１の固着面１１Ｓは、マウント１３の固着面１３Ｓに対して摺動可能な面に形成される。ここでは、パッケージ１１の固着面１１Ｓは、マウント１３の固着面１３Ｓが平面であることを考慮して、平面に凹状溝部１１ｂが形成された面に形成される。
【００１８】
次に、パッケージ１１とマウント１３の固着手順（カメラモジュール１の組立方法）を説明する。
【００１９】
まず、図２を参照して、パッケージ１１の固着面１１Ｓの第１の接着エリア１１Ｓａに例えば本固着用接着剤（揮発硬化型接着剤又は湿気硬化型接着剤）９ａを塗布すると共に第２の接着エリア１１Ｓｂに例えば仮固着用接着剤（紫外線硬化型接着剤）９ｂを塗布する。
【００２０】
そして、図１を参照して、パッケージ１１内の撮像素子７の中心軸とマウント１３に保持されたバレル５内のレンズ３の中心軸とを大凡一致させた状態で、接着剤９ａ，９ｂを介してパッケージ１１の固着面１１Ｓとマウント１３の固着面１３Ｓとを密着させて、パッケージ１１上にマウント１３を配置させる。このとき、パッケージ１１の第１（第２）の接着エリア１１Ｓａ（１１Ｓｂ）上の接着剤９ａ（９ｂ）は、パッケージ１１とマウント１３とにより圧延されて第２（第１）の接着エリア１１Ｓｂ（１１Ｓａ）側に拡がるが、この拡がった接着剤９ａ（９ｂ）は、パッケージ１１の凹状溝部１１ｂに貯留されて、第２（第１）の接着エリア１１Ｓｂ（１１Ｓａ）上に拡がることが防止される。
【００２１】
そして、検査装置（図示省略）を用いて撮像素子７を動作させて該撮像画像をモニタ（図示省略）に表示させる。そして、マウント１３とバレル５の螺合量を調整してレンズ３の位置を焦点位置に合わせる。この状態で、前記モニタ上の前記撮像画像に基づいてパッケージ１１上でのマウント１３の位置を確認しつつ、マウント１３をパッケージ１１の固着面１１Ｓ上で摺動させて、パッケージ１１上でのマウント１３の位置を調整して、撮像素子７の中心軸とレンズ３の中心軸とが一致する位置に位置決めする。この位置決めされた状態で、紫外線照射装置（図示省略）を用いて第２の接着エリア１１Ｓｂに紫外線を照射して仮固着用接着剤（紫外線硬化型接着剤）９ｂを硬化させて、マウント１３とパッケージ１１とを仮固着させる。このとき、紫外線の照射により本固着用接着剤９ａは硬化されない。そして、この状態でしばらく放置して本固着用接着剤９ａの溶剤を揮発させて本固着用接着剤９ａを硬化させて、マウント１３とパッケージ１１とを本固着させる。これにより、パッケージ１１とマウント１３とが固着される。
【００２２】
以上の様に構成されたカメラモジュール１によれば、パッケージ１１の固着面１１Ｓは、マウント１３の固着面１３Ｓに対して該面方向に摺動可能な面に形成されるため、接着剤９の硬化前にパッケージ１１上でマウント１３を摺動させてパッケージ１１上でのマウント１３の位置を調整でき、これにより、パッケージ１１やマウント１３の形状のばらつきや、マウント１３に内包されたレンズ３の内包位置のばらつきがある場合でも、パッケージ１１上でのマウント１３の位置をレンズ３の中心軸と撮像素子７の中心軸とが一致する位置に調整できて、パッケージ１１とマウント１３とを固着できる。
【００２３】
又、パッケージ１１の固着面１１Ｓ上に第１の接着エリア１１Ｓａ及び第２の背着エリア１１Ｓｂを設けて本固着用接着剤９ａ及び仮固着用接着剤９ｂを塗布できる様にし、本固着用接着剤９ａ及び仮固着用接着剤９ｂを用いてパッケージ１１とマウント１３とを固着するため、仮固着用接着剤９ｂによる仮固着によって本固着用接着剤９ａによる本固着の際のパッケージ１１上でのマウント１３の位置のずれを防止でき、これによりパッケージ１１上でのマウント１３の位置を所定の位置に正確に（ずれ無く）位置決めしてパッケージ１１とマウント１３とを固着できる。
【００２４】
又、パッケージ１１の第１の接着エリア１１Ｓａと第２の接着エリア１１Ｓｂは互いに隔離されて設けられるため、パッケージ１１とマウント１３の固着の際に、一方の接着エリア１１Ｓａ（１１Ｓｂ）上の接着剤９ａ（９ｂ）が他方の接着エリア１１Ｓｂ（１１Ｓａ）上の接着剤９ｂ（９ａ）に混入することを防止でき、パッケージ１１とマウント１３の固着を良好に行える。
【００２５】
又、パッケージ１１の第１の接着エリア１１Ｓａ及び第２の接着エリア１１Ｓｂは互いにパッケージ１１の凹状溝部１１ｂにより隔離されるため、該凹状溝部１１ｂによる貯留により一方の接着エリア１１Ｓａ（１１Ｓｂ）上の接着剤９ａ（９ｂ）が他方の接着エリア１１Ｓｂ（１１Ｓａ）側に拡がることを適切に防止でき、これにより一方の接着エリア１１Ｓａ（１１Ｓｂ）上の接着剤９ａ（９ｂ）が他方の接着エリア１１Ｓｂ（１１Ｓａ）上の接着剤９ｂ（９ａ）に混入することを適切に防止できる。
【００２６】
又、仮固着用接着剤９ｂは光硬化型（例えば紫外線硬化型）接着剤であり、本固着用接着剤９ａは揮発硬化型接着剤又は湿気硬化型接着剤であるため、仮固着用接着剤９ｂを本固着用接着剤９ａよりも速く硬化でき、本固着用接着剤９ａによる本固着の際のパッケージ１１上でのマウント１３の位置のずれを適切に防止できる。
【００２７】
又、仮固着用接着剤（紫外線硬化型接着剤）９ｂがパッケージ１１の固着面１１Ｓの第２の接着エリア（即ち固着面１１Ｓの外周側周縁側）１１Ｓｂに塗布されるため、外側から紫外線を照射し易く適切に短時間に仮固着用接着剤９ｂを硬化できる。
【００２８】
又、以上の様な手順のカメラモジュールの組立方法によれば、接着剤９ａ，９ｂを介してパッケージ１１上にマウント１３を配置し、接着剤９ａ，９ｂの硬化前に、パッケージ１１上でマウント１３を摺動させてパッケージ１１上でのマウント１３の位置を所定の位置に位置決めし、該位置決め状態で仮固着用接着剤９ｂを硬化させてパッケージ１１とマウント１３を仮固着し、該仮固着状態で本固着用接着剤９ａを硬化させてパッケージ１１とマウント１３を本固着してパッケージ１１とマウント１３とを固着するため、パッケージ１１上でのマウント１３の位置を所定の位置に調整できると共に、仮固着用接着剤９ｂによる仮固着によって本固着用接着剤９ａによる本固着の際のパッケージ１１上でのマウント１３の位置のずれを防止できて、パッケージ１１とマウント１３とを固着できる。
【００２９】
又、レンズ３を焦点位置に合わせた状態で前記モニタに表示された撮像素子７の撮像画像を確認しつつ、パッケージ１１上でのマウント１３の位置が調整されるため、パッケージ１１上でのマウント１３の位置を正確に調整できる。
【００３０】
尚、本実施の形態１では、マウント１３の固着面１３Ｓ側を平面に形成し、パッケージ１１の固着面１１Ｓ側に凹状溝部１１ｂを形成したが、それを逆にして、パッケージ１１の固着面１１Ｓ側を平面に形成し、マウント１３の固着面１３Ｓ側に凹状溝部を形成してもよい。この場合も同様の効果を得る。
【００３１】
＜実施の形態２＞
本実施の形態２では、図３の様に、パッケージ１１の固着面１１Ｓは、平面に形成される。他方、マウント１３の固着面１３Ｓは、平面に形成され、該固着面１３Ｓには、該固着面１３Ｓの第１の対向接着エリア１３Ｓａと第２の対向接着エリア１３Ｓｂの境界に沿って凸状壁部１３ｅが形成される。ここで、マウント１３の第１（第２）の対向接着エリア１３Ｓａ（１３Ｓｂ）は、パッケージ１１の第１（第２）の接着エリア１１Ｓａ（１１Ｓｂ）に対向するエリアである。本実施の形態２の他の構成要素及びパッケージ１１とマウント１３の固着手順は、実施の形態１の場合と同じである。
【００３２】
この構成では、図３の様に、接着剤９ａ，９ｂを介してパッケージ１１の固着面１１Ｓとマウント１３の固着面１３Ｓとを密着させてパッケージ１１上にマウント１３を配置させると、マウント１３の凸状壁部１３ｅの先端面がパッケージ１１の第１の接着エリア１１Ｓａと第２の接着エリア１１Ｓｂの境界に当接して、マウント１３の凸状壁部１３ｅによりパッケージ１１の第１の接着エリア１１Ｓａと第２の接着エリア１１Ｓｂとが互いに遮断されて隔離される。これにより、第１（第２）の接着エリア１１Ｓａ（１１Ｓｂ）上の接着剤９ａ（９ｂ）が第２（第１）の接着エリア１１Ｓｂ（１１Ｓａ）上に拡がることが防止される。
【００３３】
この構成によれば、実施の形態１の効果を得る他に、パッケージ１１の第１の接着エリア１１Ｓａ及び第２の接着エリア１１Ｓｂは互いにマウント１３の凸状壁部１３ｅにより隔離されるため、該凸状壁部１３ｅによる遮断により一方の接着エリア１１Ｓａ（１１Ｓｂ）上の接着剤９ａ（９ｂ）が他方の接着エリア１１Ｓｂ（１１Ｓａ）側に拡がることを適切に防止でき、これにより一方の接着エリア１１Ｓａ（１１Ｓｂ）上の接着剤９ａ（９ｂ）が他方の接着エリア１１Ｓｂ（１１Ｓａ）上の接着剤９ｂ（９ａ）に混入することを適切に防止できる。
【００３４】
尚、本実施の形態２では、パッケージ１１の固着面１１Ｓ側を平面に形成し、マウント１３の固着面１３Ｓ側に凸状壁部１３ｅを形成したが、それを逆にして、マウント１３の固着面１３Ｓ側を平面に形成し、パッケージ１１の固着面１１Ｓ側に凸状壁部を形成してもよい。この場合も同様の効果を得る。
【００３５】
尚、本実施の形態２では、接着剤９をパッケージ１１の固着面１１Ｓ側に塗布したが、凸状壁部１３ｅの形成されているマウント１３の固着面１３Ｓ側に塗布してもよい。即ち、接着剤９ａ（９ｂ）をマウント１３の第１（第２）の対向接着エリア１３Ｓａ（１３Ｓｂ）上に塗布してもよい。この様にすれば、凸状壁部１３ｅにより一方の対向接着エリア１３Ｓａ（１３Ｓｂ）上の接着剤９ａ（９ｂ）が他方の対向接着エリア１３Ｓｂ（１３Ｓａ）側に拡がることを防止できて塗布できる。
【００３６】
＜実施の形態３＞
本実施の形態３は、実施の形態１と実施の形態２を組み合わせたものである。本実施の形態３では、図４の様に、パッケージ１１の固着面１１Ｓ上に、第１の接着エリア１１Ｓａと第２の接着エリア１１Ｓｂの境界に沿って凹状溝部１１ｂが形成されると共に、マウント１３の固着面１３Ｓ上に、第１の対向接着エリア１３Ｓａと第２の対向接着エリア１３Ｓｂの境界に沿って凸状壁部１３ｅが形成される。
【００３７】
パッケージ１１の凹状溝部１１ｂ及びマウント１３の凸状壁部１３ｅは、図４の様にパッケージ１１上にマウント１３が配置された状態で、パッケージ１１上でのマウント１３の位置を、レンズ３の光軸と撮像素子７の中心軸とが一致する位置を含む所定の範囲（比較的狭小な範囲）内に制限する遊嵌の程度で、互いに遊嵌する様に形成される。
【００３８】
尚、マウント１３の凸状壁部１３ｅの高さは、パッケージ１１の凹状溝部１１ｂの深さより大きく形成されて、図４の様に、接着剤９ａ，９ｂを介してパッケージ１１上にマウント１３が密着状に配置された状態で、マウント１３の凸状壁部１３ｅの先端面がパッケージ１１の凹状溝部１１ｂの底面に当接することが望ましいが、パッケージ１１の凹状溝部１１ｂの深さ以下に小さく形成されて当接しない様にしてもよい。
【００３９】
尚、本実施の形態３の他の構成要素及びパッケージ１１とマウント１３の固着手順は、実施の形態１又実施の形態２の場合と同じである。
【００４０】
この構成では、図３の様に、接着剤９ａ，９ｂを介してパッケージ１１の固着面１１Ｓとマウント１３の固着面１３Ｓとを密着させてパッケージ１１上にマウント１３を配置させると、マウント１３の凸状壁部１３ｅがパッケージ１１の凹状溝部１１ｂ内に遊嵌する。このとき、パッケージ１１の第１（第２）の接着エリア１１Ｓａ（１１Ｓｂ）上の接着剤９ａ（９ｂ）は、パッケージ１１とマウント１３とにより圧延されて第２（第１）の接着エリア１１Ｓｂ（１１Ｓａ）側に拡がるが、この拡がった接着剤９ａ（９ｂ）は、マウント１３の凸状壁部１３ｅによりその拡がりが遮断されると共にパッケージ１１の凹状溝部１１ｂにより貯留されて、第２（第１）の接着エリア１１Ｓｂ（１１Ｓａ）上に拡がることが防止される。
【００４１】
この構成によれば、実施の形態１及び実施の形態２の効果を得る他に、パッケージ１１の第１の接着エリア１１Ｓａ及び第２の接着エリア１１Ｓｂは互いに、パッケージ１１の凹状溝部１１ｂ及びマウント１３の凸状壁部１３ｅにより隔離されるため、該凸状壁部１３ｅによる遮断及び該凹状溝部１１ｂによる貯留により一方の接着エリア１１Ｓａ（１１Ｓｂ）上の接着剤９ａ（９ｂ）が他方の接着エリア１１Ｓｂ（１１Ｓａ）側に拡がることを適切に防止でき、これにより一方の接着エリア１１Ｓａ（１１Ｓｂ）上の接着剤９ａ（９ｂ）が他方の接着エリア１１Ｓｂ（１１Ｓａ）上の接着剤９ｂ（９ａ）に混入することを適切に防止できる。
【００４２】
又、パッケージ１１の凹状溝部１１ｂ及びマウント１３の凸状壁部１３ｅは互いに遊嵌する様に形成されるため、パッケージ１１上にマウント１３が配置された状態で、マウント１３の凸状壁部１３ｅがパッケージ１１の凹状溝部１１ｂ内に嵌っても、パッケージ１１上でマウント１３を摺動できてパッケージ１１上でのマウント１３の位置を調整できる。
【００４３】
又、パッケージ１１の凹状溝部１１ｂ及びマウント１３の凸状壁部１３ｅは、パッケージ１１上でのマウント１３の位置を前記所定の範囲（比較的狭小な範囲）内に制限する遊嵌の程度で互いに遊嵌するため、パッケージ１１上でマウント１３を摺動させた際にパッケージ１１上でのマウント１３の位置がずれ過ぎて、接着剤９がパッケージ１１内の撮像素子７の有効エリア上に漏れることを防止できる。
【００４４】
尚、本実施の形態３では、パッケージ１１側に凹状溝部１１ｂを形成し、マウント１３側に凸状壁部１３ｅを形成したが、その凹凸を逆にして、パッケージ１１側に凸状壁部を形成し、マウント１３側に凹状溝部を形成してもよい。この場合も同様の効果を得る。
【００４５】
＜実施の形態４＞
本実施の形態４では、図５の様に、パッケージ１１の固着面１１Ｓは、段違いの平面部１１Ｓａ，１１Ｓｂにより構成されて、該平面部１１Ｓａ，１１Ｓｂ上に第１の接着エリア及び第２の接着エリアが設けられる。これに対応して、マウント１３の固着面１３Ｓも、段違いの平面部１３Ｓａ，１３Ｓｂにより構成される。
【００４６】
より詳細には、パッケージ１１の固着面１１Ｓは、該固着面１１Ｓの内周側周縁側を占める環状の平面部１１Ｓａと、該固着面１１Ｓの外周側周縁側に沿って周回し、平面部１１Ｓａに対して凹状に段違いに形成された段差平面部１１Ｓｂとより構成される。そして、パッケージ１１の平面部１１Ｓａ（段差平面部１１Ｓｂ）上に第１（第２）の接着エリア１１Ｓａ（１１Ｓｂ）が設けられる。マウント１３の固着面１３Ｓは、該固着面１３Ｓの内周側周縁側を占める環状の平面部１３Ｓａと、固着面１３Ｓの外周側周縁側に沿って周回し、平面部１３Ｓａに対して凸状に段違いに形成された段差平面部１３Ｓｂとにより構成される。
【００４７】
パッケージ１１の凹状の段差平面部１１Ｓｂ及びマウント１３の凸状の段差平面部１３Ｓｂは、図５の様にパッケージ１１上にマウント１３が配置された状態で、パッケージ１１上でのマウント１３の位置を、レンズ３の光軸と撮像素子７の中心軸とが一致する位置を含む所定の範囲（比較的狭小な範囲）内に制限する遊嵌の程度で、互いに遊嵌する様に形成される。
【００４８】
尚、本実施の形態４の他の構成要素及びパッケージ１１とマウント１３の固着手順は、実施の形態１の場合と同じである。
【００４９】
この構成では、図５の様に、接着剤９ａ，９ｂを介してパッケージ１１上にマウント１３を配置させると、接着剤９ａを介してパッケージ１１の平面部１１Ｓａとマウント１３の平面部１３Ｓａとが密着すると共に、接着剤９ｂを介してパッケージ１１の凹状の段差平面部１１Ｓｂとマウント１３の凸状の段差平面部１３Ｓｂとが遊嵌状に密着する。このとき、第１（第２）の接着エリア１１Ｓａ（１１Ｓｂ）上の接着剤９ａ（９ｂ）は、パッケージ１１とマウント１３とにより圧延されて第２（第１）の接着エリア１１Ｓｂ（１１Ｓａ）側に拡がるが、第１の接着エリア１１Ｓａと第２の接着エリア１１Ｓｂの間の段差により第２（第１）の接着エリア１１Ｓｂ（１１Ｓａ）上に拡がることが適切に防止される。
【００５０】
この構成によれば、実施の形態１の効果を得る他に、パッケージ１１の固着面１１Ｓは段違いの平面部１１Ｓａ，１１Ｓｂにより構成され、パッケージ１１の第１の接着エリア１１Ｓａ及び第２の接着エリア１１Ｓｂは、それぞれパッケージ１１の固着面１１Ｓの異なる平面部１１Ｓａ，１１Ｓｂ上に設けられることにより互いに隔離されるため、段違いの平面部１１Ｓａ，１１Ｓｂ間の段差により一方の接着エリア１１Ｓａ（１１Ｓｂ）上の接着剤９ａ（９ｂ）が他方の接着エリア１１Ｓｂ（１１Ｓａ）側に拡がることを適切に防止でき、これにより一方の接着エリア１１Ｓａ（１１Ｓｂ）上の接着剤９ａ（９ｂ）が他方の接着エリア１１Ｓｂ（１１Ｓａ）上の接着剤９ｂ（９ａ）に混入することを適切に防止できる。
【００５１】
又、パッケージ１１の固着面１１Ｓを構成する段違いの平面部１１Ｓａ，１１Ｓｂは、マウント１３の固着面１３Ｓを構成する段違いの平面部１３Ｓａ，１３Ｓｂと遊嵌する様に構成されるため、段違いの平面部１１Ｓａ，１１Ｓｂにより第１の接着エリア１１Ｓａと第２の接着エリア１１Ｓｂとを互いに隔離した場合でも、パッケージ１１上でマウント１３を摺動できてパッケージ１１上でのマウント１３の位置を調整できる。
【００５２】
又、パッケージ１１の固着面１１Ｓを構成する段違いの平面部１１Ｓａ，１１Ｓｂ及びマウント１３の固着面１３Ｓを構成する段違いの平面部１３Ｓａ，１３Ｓｂは、パッケージ１１上でのマウント１３の位置を前記所定の範囲（比較的狭小な範囲）内に制限する遊嵌の程度で互いに遊嵌するため、パッケージ１１上でマウント１３を摺動させた際にパッケージ１１上でのマウント１３の位置がずれ過ぎて接着剤９がパッケージ１１内の撮像素子７の有効エリア上に漏れることを防止できる。
【００５３】
＜実施の形態５＞
実施の形態４では、パッケージ１１の固着面１１Ｓの外周側周縁側の平面部１１Ｓｂは、凹状の段差平面部に形成され、これに対応して、マウント１３の固着面１３Ｓの外周側周縁側の平面部１３Ｓｂは、凸状の段差平面部に形成された。これに対し、本実施の形態５では、その凹凸を逆にして、パッケージ１１の固着面１１Ｓの外周側周縁側の平面部１１Ｓｂは、凸状の段差平面部に形成され、これに対応して、マウント１３の固着面１３Ｓの外周側周縁側の平面部１３Ｓｂは、凹状の段差平面部に形成される。本実施の形態５の他の構成要素及びパッケージ１１とマウント１３の固着手順は、実施の形態４の場合と同じである。この構成でも実施の形態４の場合と同じ効果を得る。
【００５４】
＜実施の形態６＞
実施の形態４では、パッケージ１１の固着面１１Ｓの凹状の段差平面部１１Ｓｂは、該固着面１１Ｓの外周側周縁側に沿って環状に形成され、これに対応して、マウント１３の固着面１３Ｓの凸状の段差平面部１３Ｓｂも、該固着面１３Ｓの外周側周縁側に沿って環状に形成された。これに対し、本実施の形態６では、図７及び図８の様に、パッケージ１１の固着面１１Ｓの凹状の段差平面部１１Ｓｂは、該固着面１１Ｓの外周側周縁上の複数箇所にそれぞれ狭小的に形成され、これに対応して、マウント１３の固着面１３Ｓの凸状の段差平面部１３Ｓｂも、固着面１３Ｓの外周側周縁上の複数箇所にそれぞれ狭小的に形成される。
【００５５】
即ち、本実施の形態６では、パッケージ１１の固着面１１Ｓは、該固着面１１Ｓの大部分を占める平面部１１Ｓａと、該固着面１１Ｓの外周側周縁上の複数箇所（ここでは対称的に配置する４箇所）にそれぞれ狭小的に、平面部１１Ｓａに対して凹状に段違いに形成された段差平面部１１Ｓｂとにより構成される。そして、パッケージ１１の平面部１１Ｓａ（各段差平面部１１Ｓｂ）上に第１（第２）の接着エリア１１Ｓａ（１１Ｓｂ）が設けられる。マウント１３の固着面１３Ｓは、該固着面１３Ｓの大部分を占める平面部１３Ｓａと、該固着面１３Ｓの外周側周縁上の複数箇所（ここでは対称的に配置する４箇所）にそれぞれ狭小的に、平面部１３Ｓａに対して凸状に段違いに形成された段差平面部１３Ｓｂとにより構成される。
【００５６】
パッケージ１１の凹状の段差平面部１１Ｓｂ及びマウント１３の凸状の段差平面部１３Ｓｂは、実施の形態４の場合と同じ遊嵌の程度で、互いに遊嵌する様に形成される。
【００５７】
マウント１３の凸状の段差平面部１３Ｓｂの高さは、パッケージ１１の凹状の段差平面部１１Ｓｂの深さより小さく形成される。これにより、図８の様に接着剤９ａ，９ｂを介してパッケージ１１上にマウント１３が配置されて、マウント１３の平面部１３Ｓａとパッケージ１１の平面部１１Ｓａとが密着されても、マウント１３の凸状の段差平面部１３Ｓｂとパッケージ１１の凹状の段差平面部１１Ｓｂとが当接しないため、段差平面部１１Ｓｂ，１３Ｓｂ間から接着剤９ｂが全て押出されることを防止できる。
【００５８】
尚、本実施の形態６の他の構成要素及びパッケージ１１とマウント１３の固着手順は、実施の形態４の場合と同じである。
【００５９】
この構成によれば、実施の形態４の効果を得る他に、本固着用接着剤９ａが塗布される平面部１１Ｓａがパッケージ１１の固着面１１Ｓの大部分を占めるため、パッケージ１１とマウント１３とを強力に固着できる。
【００６０】
【発明の効果】
請求項１に記載の発明によれば、パッケージ上のマウントとの固着面は、マウント上のパッケージとの固着面に対して該面方向に摺動可能な面に形成されるため、接着剤の硬化前にパッケージ上でマウントを摺動させてパッケージ上でのマウントの位置を調整でき、これにより、パッケージやマウントの形状のばらつきや、マウントに内包されたレンズの内包位置のばらつきがある場合でも、パッケージ上でのマウントの位置をレンズの中心軸と撮像素子の中心軸とが一致する位置に調整できて、パッケージとマウントとを固着できる。
【００６１】
又、パッケージ上のマウントとの固着面上に第１の接着エリア及び第２の背着エリアを設けて仮固着用接着剤及び本固着用接着剤を塗布できる様にし、仮固着用接着剤及び本固着用接着剤を用いてパッケージとマウントとを固着するため、仮固着用接着剤による仮固着によって本固着用接着剤による本固着の際のパッケージ上でのマウントの位置のずれを防止でき、これによりパッケージ上でのマウントの位置を所定の位置に正確に位置決めしてパッケージとマウントとを固着できる。
【図面の簡単な説明】
【図１】本発明の実施の形態１のカメラモジュールの断面図である。
【図２】本発明の実施の形態１のカメラモジュールの分解斜視図である。
【図３】本発明の実施の形態２のカメラモジュールの断面図である。
【図４】本発明の実施の形態３のカメラモジュールの断面図である。
【図５】本発明の実施の形態４のカメラモジュールの断面図である。
【図６】本発明の実施の形態５のカメラモジュールの断面図である。
【図７】本発明の実施の形態６のカメラモジュールの分解斜視図である。
【図８】本発明の実施の形態６のカメラモジュールの断面図である。
【符号の説明】
１  カメラモジュール、３  レンズ、５  バレル、７  撮像素子、９  接着剤、９ａ  本固着用接着剤、９ｂ  仮固着用接着剤、１１  パッケージ、１１ｂ  凹状溝部、１１Ｓ  環状領域（固着面）、１１Ｓａ    第１の接着エリア、１１Ｓｂ    第２の接着エリア、１３  マウント、１３ｅ  凸状壁部、１３Ｓ  環状領域（固着面）。
【図１】
2004297282.tif 000003
【図２】
2004297282.tif 000004
【図３】
2004297282.tif 000005
【図４】
2004297282.tif 000006
【図５】
2004297282.tif 000007
【図６】
2004297282.tif 000008
【図７】
2004297282.tif 000009
【図８】
2004297282.tif 000010
【手続補正書】
【提出日】平成16年2月19日(2004.2.19)
【手続補正２】
【補正対象書類名】明細書
【補正対象項目名】特許請求の範囲
【補正方法】変更
【補正の内容】
【特許請求の範囲】
【請求項１】
レンズが係止されたマウントと、
撮像素子が配設されたパッケージとを固着し、
当該レンズの中心部と当該撮像素子の中心部とを一致するようにしたカメラモジュールであって、
前記マウントと前記パッケージとを固着する面が、互いに隔離される２つの接着エリアから構成されること
を特徴とするカメラモジュール。
【請求項２】
２つの接着エリアは、
レンズの中心部または撮像素子の中心部に、より近い第１の接着エリアと、
当該第１の接着エリアよりも前記中心部から離れた第２の接着エリアとからなること
を特徴とする請求項１に記載のカメラモジュール。
【請求項３】
第１の接着エリアと第２の接着エリアとが、隔離部により隔離されること
を特徴とする請求項１または２に記載のカメラモジュール。
【請求項４】
第１の接着エリアと第２の接着エリアとの間に段差を有すること
を特徴とする請求項１から３のいずれか１項に記載のカメラモジュール。
【請求項５】
第１の接着エリアと第２の接着エリアとが、
遊嵌構造であること
を特徴とする請求項１から４のいずれか１項に記載のカメラモジュール。
【請求項６】
第１の接着エリアには、本固着用接着剤が塗布され、
第２の接着エリアには、仮固着用接着剤が塗布されること
を特徴とする請求項１から５のいずれか１項に記載のカメラモジュール。
【手続補正３】
【補正対象書類名】明細書
【補正対象項目名】０００１
【補正方法】変更
【補正の内容】
【０００１】
【発明の属する技術分野】
本発明は、デジタルカメラ、携帯電話機及びノート型パソコン等に搭載される小型のカメラモジュールに関する。


【手続補正４】
【補正対象書類名】明細書
【補正対象項目名】０００７
【補正方法】変更
【補正の内容】
【０００７】
この発明は、上述のような課題を解決するためになされたもので、その目的は、パッケージやマウントの形状のばらつきや、マウントに内包されたレンズの内包位置のばらつきがある場合でも、パッケージ上でのマウントの位置をレンズの中心部と撮像素子の中心部とが一致する位置に調整できてパッケージとマウントとを固着できるカメラモジュールを得るものである。


【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
【課題を解決するための手段】
上記課題を解決するために、本発明は、レンズが係止されたマウントと、撮像素子が配設されたパッケージとを固着し、当該レンズの中心部と当該撮像素子の中心部とを一致するようにしたカメラモジュールであって、前記マウントと前記パッケージとを固着する面が、互いに隔離される２つの接着エリアから構成されることとしたものである。
【手続補正７】
【補正対象書類名】明細書
【補正対象項目名】００１４
【補正方法】変更
【補正の内容】
【００１４】
マウント１３の台部１３ａは、例えば平面視矩形の板状に形成される。台部１３ａの上面の中央には、バレル５の下端筒口と対向する部分に光路用開口部１３ｃが形成される。台部１３ａの下面の中央には、パッケージ１１の収納凹部１１ａと対向する部分に光学フィルタ等が収納可能な収納凹部１３ｄが形成される。台部１３ａの下面における収納凹部１３ｄの外周側の領域１３Ｓは、平面に形成されており、パッケージ１１が固着される固着面として機能する。


【手続補正８】
【補正対象書類名】明細書
【補正対象項目名】００１６
【補正方法】変更
【補正の内容】
【００１６】
パッケージ１１の上面における収納凹部１１ａの外周側の領域１１Ｓは、マウント１３が固着される固着面として機能する。パッケージ１１の固着面１１Ｓは平面に形成される。パッケージ１１の固着面１１Ｓには、本固着用接着剤９ａ及び仮固着用接着剤９ｂのうちの一方が塗布される第１の接着エリア１１Ｓａと、本固着用接着剤９ａ及び仮固着用接着剤９ｂのうちの他方が塗布される第２の接着エリア１１Ｓｂとが互いに隔離されて設けられる。第１（第２）の接着エリア１１Ｓａ（１１Ｓｂ）は、パッケージ１１の固着面１１Ｓの内周側周縁側（外周側周縁側）に渡って設けられる。又、パッケージ１１の固着面１１Ｓには、第１の接着エリア１１Ｓａと第２の接着エリア１１Ｓｂの境界に沿って凹状溝部１１ｂが形成される。該凹状溝部１１ｂにより第１の接着エリア１１Ｓａと第２の接着エリア１１Ｓｂは互いに隔離される。


【手続補正９】
【補正対象書類名】明細書
【補正対象項目名】００４６
【補正方法】変更
【補正の内容】
【００４６】
より詳細には、パッケージ１１の固着面１１Ｓは、該固着面１１Ｓの内周側周縁側を占める平面部１１Ｓａと、該固着面１１Ｓの外周側周縁側に沿って周回し、平面部１１Ｓａに対して凹状に段違いに形成された段差平面部１１Ｓｂとより構成される。そして、パッケージ１１の平面部１１Ｓａ（段差平面部１１Ｓｂ）上に第１（第２）の接着エリア１１Ｓａ（１１Ｓｂ）が設けられる。マウント１３の固着面１３Ｓは、該固着面１３Ｓの内周側周縁側を占める平面部１３Ｓａと、固着面１３Ｓの外周側周縁側に沿って周回し、平面部１３Ｓａに対して凸状に段違いに形成された段差平面部１３Ｓｂとにより構成される。


【手続補正１０】
【補正対象書類名】明細書
【補正対象項目名】００５４
【補正方法】変更
【補正の内容】
【００５４】
＜実施の形態６＞
実施の形態４では、パッケージ１１の固着面１１Ｓの凹状の段差平面部１１Ｓｂは、該固着面１１Ｓの外周側周縁側に沿って形成され、これに対応して、マウント１３の固着面１３Ｓの凸状の段差平面部１３Ｓｂも、該固着面１３Ｓの外周側周縁側に沿って形成された。これに対し、本実施の形態６では、図７及び図８の様に、パッケージ１１の固着面１１Ｓの凹状の段差平面部１１Ｓｂは、該固着面１１Ｓの外周側周縁上の複数箇所にそれぞれ狭小的に形成され、これに対応して、マウント１３の固着面１３Ｓの凸状の段差平面部１３Ｓｂも、固着面１３Ｓの外周側周縁上の複数箇所にそれぞれ狭小的に形成される。


【手続補正１１】
【補正対象書類名】明細書
【補正対象項目名】００６０
【補正方法】変更
【補正の内容】
【００６０】
請求項１に記載の発明によれば、レンズが係止されたマウントと、撮像素子が配設されたパッケージとを固着し、当該レンズの中心部と当該撮像素子の中心部とを一致するようにしたカメラモジュールであって、前記マウントと前記パッケージとを固着する面が、互いに隔離される２つの接着エリアから構成されるので、パッケージとマウントの固着の際に、一方の接着エリア上の接着剤が他方の接着エリア上の接着剤に混入することを防止でき、パッケージとマウントの固着を良好に行え、これにより、パッケージ上でのマウントの位置をレンズの中心部と撮像素子の中心部とが一致する位置に調整できる様になる。
【手続補正１２】
【補正対象書類名】明細書
【補正対象項目名】００６１
【補正方法】削除
【補正の内容】
【手続補正１３】
【補正対象書類名】明細書
【補正対象項目名】図面の簡単な説明
【補正方法】変更
【補正の内容】
【図面の簡単な説明】
【図１】本発明の実施の形態１のカメラモジュールの断面図である。
【図２】本発明の実施の形態１のカメラモジュールの分解斜視図である。
【図３】本発明の実施の形態２のカメラモジュールの断面図である。
【図４】本発明の実施の形態３のカメラモジュールの断面図である。
【図５】本発明の実施の形態４のカメラモジュールの断面図である。
【図６】本発明の実施の形態５のカメラモジュールの断面図である。
【図７】本発明の実施の形態６のカメラモジュールの分解斜視図である。
【図８】本発明の実施の形態６のカメラモジュールの断面図である。
【符号の説明】
１  カメラモジュール、３  レンズ、５  バレル、７  撮像素子、９  接着剤、９ａ  本固着用接着剤、９ｂ  仮固着用接着剤、１１  パッケージ、１１ｂ  凹状溝部、１１Ｓ  領域（固着面）、１１Ｓａ    第１の接着エリア、１１Ｓｂ    第２の接着エリア、１３  マウント、１３ｅ  凸状壁部、１３Ｓ  領域（固着面）。


【手続補正１４】
【補正対象書類名】図面
【補正対象項目名】図２
【補正方法】変更
【補正の内容】
【図２】
2004297282.tif 000011